(57)【要約】  【課題】  光ディスク装置において、光ピックアップ送り機構の信頼性を確保可能な技術を提供する。  【解決手段】  光ピックアップを移動させるガイドフィード部材が該光ピックアップをディスク最外周位置または最内周位置に移動させ該ガイドフィード部材の移動を案内する第１の部分が移動を停止した状態で、さらにリードスクリュー部材が回転し、該第１の部分にヒンジ部を介して結合された第２の部分内のラック部を移動させるとき、該第２の部分を固定側の当接部材に当接させ、該当接により、上記ラック部の移動に基づく該第２の部分の変位を所定の範囲内に抑え、特に上記ヒンジ部の損傷を防止する。【選択図】  図３
2005251275.tif 000002
【特許請求の範囲】
【請求項１】
光ディスクの半径方向に光ピックアップを移動させ情報の記録、再生のいずれか一方または両方を行う光ディスク装置であって、
上記光ピックアップの移動を案内するガイド部材と、
上記ガイド部材に平行に配され、表面に送りねじが形成されたリードスクリュー部材と、
上記リードスクリュー部材を回転駆動する送りモータと、
上記光ピックアップに結合され、上記ガイド部材に摺動可能に係合される第１の部分と、該第１の部分にヒンジ部を介して結合され上記リードスクリュー部材の送りねじに係合するラック部が形成された第２の部分とを備え、上記送りねじの回転により該ラック部を介して移動力を与えられ上記ガイド部材に案内されてディスク半径方向に移動するガイドフィード部材と、
上記ガイドフィード部材の上記第２の部分と、該ガイドフィード部材の所定の移動位置において当接する当接部材と、
を備え、上記ガイドフィード部材が上記光ピックアップをディスク最外周位置または最内周位置に移動させ上記第１の部分が移動を停止した状態でさらに上記リードスクリュー部材の上記送りねじが回転するとき、該ガイドフィード部材の上記第２の部分を上記当接部材に当接させ、該当接により、上記ラック部の移動に基づく該第２の部分の変位を所定内にする構成としたことを特徴とする光ディスク装置。
【請求項２】
上記ガイドフィード部材が上記光ピックアップをディスク最外周位置または最内周位置に移動させ上記第１の部分が移動を停止した状態で、上記ラック部または上記第２の部分が上記リードスクリュー部材の回転により移動可能な距離は上記ヒンジ部の弾性限界変位量以下である請求項１に記載の光ディスク装置。
【請求項３】
上記ガイドフィード部材が上記光ピックアップをディスク最外周位置または最内周位置に移動させ上記第１の部分が移動を停止した状態のとき、上記第２の部分と上記当接部材との間の距離が約０．５×１０−３ｍ以下である請求項１または請求項２に記載の光ディスク装置。
【請求項４】
上記ガイドフィード部材が上記光ピックアップをディスク最外周位置または最内周位置に移動させ上記第１の部分が移動を停止した状態で、上記ラック部または上記第２の部分が上記リードスクリュー部材の回転により移動可能な距離は約０．５×１０−３ｍ以下である請求項１または請求項２に記載の光ディスク装置。
【請求項５】
上記当接部材は、上記ガイドフィード部材の上記第２の部分と上記送りモータとの間に固定された構成である請求項１から４のいずれかに記載の光ディスク装置。
【発明の詳細な説明】
【技術分野】
【０００１】
本発明は、光ディスク装置に係り、特に、光ピックアップを移動させるための技術に関する。
【背景技術】
【０００２】
本発明に関連した従来技術としては、例えば、特開２００３−５９２１２号公報（特許文献１）に記載されたものがある。該公報には、光ディスク装置の光ピックアップ送り機構において、装置外部からの衝撃が小さいときはクロー部がリードスクリューから外れず、衝撃が大きいときは外れるようにするために、Ｌ字型形状の樹脂バネを、その一端が間隙を介して上記クロー部に対向する位置に設けた構成が記載されている。
【０００３】
【特許文献１】特開２００３−５９２１２号公報
【発明の開示】
【発明が解決しようとする課題】
【０００４】
上記公報記載の技術は、光ピックアップ送り機構において、クロー部（ラック部）を、リードスクリューの半径方向に規制するための技術であり、リードスクリューの軸方向（長手方向）に規制するためのものではない。
本発明の課題点は、上記従来技術の状況に鑑み、光ディスク装置において、リードスクリューの軸方向（長手方向）へのラック部の過剰な移動を規制し、該過剰移動に基づくガイドフィード部材の特定部分の過剰変位を防止しそれによる該ガイドフィード部材の損傷を回避し信頼性を確保できるようにすることである。
本発明の目的は、かかる課題点を解決し、光ディスク装置において、光ピックアップ送り機構の信頼性を確保可能な技術を提供することにある。
【課題を解決するための手段】
【０００５】
上記課題点を解決するために、本発明では、光ディスク装置において、光ピックアップを移動させるガイドフィード部材が該光ピックアップをディスク最外周位置または最内周位置に移動させ該ガイドフィード部材の移動を案内する第１の部分が移動を停止した状態で、さらにリードスクリュー部材が回転し、該第１の部分にヒンジ部を介して結合された第２の部分内のラック部を移動させるとき、該第２の部分を固定側の当接部材に当接させ、該当接により、上記ラック部の移動に基づく該第２の部分の変位を所定の範囲内に抑える構成とする。
【発明の効果】
【０００６】
本発明によれば、光ディスク装置において、光ピックアップ送り機構の信頼性を確保することができる。
【発明を実施するための最良の形態】
【０００７】
以下、本発明を実施するための最良の形態につき、図面を用いて説明する。
図１〜図５は、本発明の実施形態の説明図である。図１は、本発明の実施形態としての光ディスク装置の構成例図、図２は、図１の光ディスク装置の光ピックアップ送り機構部に用いるガイドフィード部材の外形図、図３は、図２のガイドフィード部材のラック部の、ディスク最外周位置からの過剰移動動作の説明図、図４は、図２のガイドフィード部材のラック部の、ディスク最内周位置からの過剰移動動作の説明図、光ディスク装置の光ピックアップ送り機構部の拡大図、図５は、本発明の作用・効果を説明するための図である。
【０００８】
図１において、１は、光ディスク（図示なし）の情報記録面にレーザ光を照射したり、反射光を受光したりして、該情報記録面に対し信号の記録や再生を行う光ピックアップ、２は、光ディスクを回転駆動するスピンドルモータ、３は、表面に送りねじが形成され、該送りねじの回転により光ピックアップ１をディスク半径方向に移動させるリードスクリュー部材、４ａ、４ｂは、光ピックアップ１のディスク半径方向への移動を案内するガイド部材、５は、リードスクリュー部材３を回転駆動する送りモータ、６は、光ピックアップ１に結合され、ラック部で上記リードスクリュー部材３の送りねじに係合したガイドフィード部材、６ａは、光ピックアップ１に結合されガイド部材４ａに摺動可能に係合されるガイドフィード部材６の第１の部分、６ｂは、該第１の部分６ａにヒンジ部６ｄを介して結合され、上記リードスクリュー部材３の表面の送りねじに係合するラック部６ｃが形成されたガイドフィード部材６の第２の部分、７は、ガイドフィード部材６の上記第２の部分６ｂを、弾性復元力によりリードスクリュー部材３側に付勢するためのばね等の弾性部材、８ａは、送りモータ５を支持するとともに、上記ガイドフィード部材６の第２の部分６ｂに当接して該第２の部分６ｂの変位を規制する当接部材としてのモータブラケット、８ｂは、リードスクリュー部材３の軸受、９はシャーシ、１１ａは、ガイドフィード部材６の第１の部分６ａに結合され、該第１の部分６ａのディスク最外周移動位置を規制する最外周位置規制部材、１１ｂは、同じくガイドフィード部材６の第１の部分６ａに結合され、該第１の部分６ａのディスク最内周移動位置を規制する最内周位置規制部材である。リードスクリュー部材３は、上記ガイド部材４ａ、４ｂと平行に配される。ガイドフィード部材６は、上記リードスクリュー部材３の送りねじの回転によりラック部６ｃを介して移動力を与えられガイド部材４ａに案内されてディスク半径方向に移動し、光ピックアップ１をディスク半径方向に移動させる。リードスクリュー部材３の軸受８ｂも、上記ガイドフィード部材６の第２の部分６ｂに当接して該第２の部分６ｂの過剰変位を規制する当接部材である。
【０００９】
上記ガイドフィード部材６の上記第２の部分６ｂは、光ピックアップ１がそのディスク最外周移動位置にあるときすなわち該ガイドフィード部材６の第１の部分６ａが上記最外周位置規制部材１１ａにより規制されたディスク最外周移動位置にあるときは、上記モータブラケット８ａとの距離が、上記リードスクリュー部材３の送りねじがさらに過剰回転した場合に該モータブラケット８ａに当接する距離とされている。該当接により、上記ラック部６ｃの移動とそれに基づく該第２の部分６ｂの変形を抑える。また、該ガイドフィード部材６の該第２の部分６ｂは、光ピックアップ１がそのディスク最内周移動位置にあるとき、すなわち該ガイドフィード部材６の第１の部分６ａが上記最内周位置規制部材１１ｂにより規制されたディスク最内周移動位置にあるときは、上記軸受８ｂとの距離が、上記リードスクリュー部材３の送りねじがさらに過剰回転した場合に該軸受８ｂに当接する距離とされている。該当接により、上記ラック部６ｃの上記距離を越える移動変位とそれに基づく該第２の部分６ｂの過剰な変形を抑え、ガイドフィード部材６の特に上記ヒンジ部６ｄで該変形に起因して発生する損傷を抑える。
【００１０】
上記構成において、例えば、記録または再生時において、送りモータ５によりリードスクリュー部材３が回転駆動されその送りねじが回転されると、該送りねじに係合されたガイドフィード部材６のラック部６ｃに、該送りねじから移動力が伝達され、ガイドフィード部材６とともに光ピックアップ１が、ガイド部材４ａ、４ｂによって案内され、例えば光ディスクの半径増大方向に移動する。ラック部６ｃが移動し光ピックアップ１がディスク半径増大方向の最終位置すなわち最外周移動位置に達すると、最外周位置規制部材１１ａがガイドフィード部材６の第１の部分６ａの最外周位置を規制し、該第１の部分６ａは該位置に停止する。該状態で上記リードスクリュー部材３がさらに回転され、送りねじが過剰回転されると、ラック部６ｃは、該送りねじによりさらに移動変位し第２の部分６ｂを、ヒンジ部６ｄを支点として変形させる。該ラック部６ｃの移動変位による該第２の部分６ｂの変形量が所定値に達すると、第２の部分６ｂはモータブラケット８ａに当接する。該当接により、上記第２の部分６ｂの、該当接位置を超える変形は抑えられ、上記ラック部６ｃの、該当接位置を超える移動も抑えられる。
【００１１】
一方、光ピックアップ１が、ガイド部材４ａ、４ｂによって案内され、例えば光ディスクの半径減少方向に移動する場合も、ラック部６ｃが移動し光ピックアップ１がディスク半径減少方向の最終位置すなわち最内周移動位置に達すると、最内周位置規制部材１１ｂがガイドフィード部材６の第１の部分６ａの最内周位置を規制し、該第１の部分６ａは該位置に停止する。該状態で上記リードスクリュー部材３がさらに回転され、送りねじが過剰回転されると、ラック部６ｃは、該送りねじによりさらに移動変位し第２の部分６ｂを、ヒンジ部６ｄを支点として変形させる。該ラック部６ｃの移動変位による該第２の部分６ｂの変形量が所定値に達すると、第２の部分６ｂは軸受８ｂに当接する。該当接により、上記第２の部分６ｂの、該当接位置を超える変形は抑えられ、上記ラック部６ｃの、該当接位置を超える移動も抑えられる。
【００１２】
図２は、上記図１の光ディスク装置の光ピックアップ送り機構部に用いるガイドフィード部材の外形図である。以下、図２〜図５で用いる上記図１の構成要素には、図１の場合と同じ符号を付して用いる。
図２において、６ａはガイドフィード部材６の第１の部分、６ｂは同じく第２の部分、６ｃは同じくラック部、６ｄは同じくヒンジ部である。第１の部分６ａは、光ピックアップ１に結合されガイド部材４ａに対し摺動可能に係合される。第２の部分６ｂは、その前面側にラック部６ｃが形成され、ヒンジ部６ｄを介して上記第１の部分６ａに結合されている。ラック部６ｃは、リードスクリュー部材３の表面の送りねじに係合され、該リードスクリュー部材３の回転により、該送りねじ部から該リードスクリュー部材３の長手方向の移動力を与えられる。ヒンジ部６ｄは、第１の部分６ａと第２の部分６ｂとを結合し、該第２の部分６ｂを第１の部分６ａに対し弾性変位可能な状態で支持する。第１の部分６ａ、第２の部分６ｂ、ラック部６ｃ及びヒンジ部６ｄは、ポリアセタール樹脂等により一体状に形成されている。
【００１３】
図３は、図２のガイドフィード部材６のラック部６ｃのディスク最外周位置からの過剰移動動作の説明図である。（ａ）は、光ピックアップ送り機構部のうちラック部６ｃ周辺の平面図、（ｂ）は、その側面図である。（ａ）及び（ｂ）は、ガイドフィード部材６は、第１の部分６ａ、第２の部分６ｂ、ラック部６ｃを含め、ディスク最外周位置（ディスク最外周移動位置）にあるものとする。
【００１４】
図３において、第２の部分６ｂは、上記ディスク最外周移動位置において、モータブラケット８ａとの距離がｇ１とされている。該距離ｇ１は、該ディスク最外周移動位置でリードスクリュー部材３がさらに回転して、ラック部６ｃが該最外周移動位置からさらに過剰移動され、第２の部分６ｂが変位したとき、ヒンジ部６ｄが弾性限界内の変位状態で、該第２の部分６ｂの移動方向の端面部がモータブラケット８ａに当接可能な距離であり、例えば約０．５×１０−３ｍ以下とされ、実験では、一例として、０．２×１０−３〜０．５×１０−３ｍが実用的であるという結果が得られている。（ｂ）中の点線は、第２の部分６ｂが、ラック部６ｃのその最外周移動位置からの過剰移動により、上記距離ｇ１相当の変位をしてモータブラケット８ａに当接したときの状態を示す。該当接状態においては、ヒンジ部６ｄは、上記第２の部分６ｂの上記変位の支点となる部分に組織劣化や損傷を起さない弾性限界内の変位状態にある。
【００１５】
図４は、図２のガイドフィード部材６のラック部６ｃのディスク最内周位置からの過剰移動動作の説明図である。（ａ）は、光ピックアップ送り機構部のうちラック部６ｃ周辺の平面図、（ｂ）は、その側面図である。（ａ）及び（ｂ）は、ガイドフィード部材６は、第１の部分６ａ、第２の部分６ｂ、ラック部６ｃを含め、ディスク最内周位置（ディスク最内周移動位置）にあるものとする。
【００１６】
図４において、第２の部分６ｂは、上記ディスク最内周移動位置において、軸受８ｂとの距離がｇ２とされている。該距離ｇ２は、該ディスク最内周移動位置でリードスクリュー部材３がさらに回転して、ラック部６ｃが該ディスク最内周移動位置からさらに過剰移動され、第２の部分６ｂが変位したとき、ヒンジ部６ｄが弾性限界内の変位状態で、該第２の部分６ｂの移動方向の端面部が軸受８ｂに当接可能な距離であり、例えば約０．５×１０−３ｍ以下とされ、実験では、一例として、０．２×１０−３〜０．５×１０−３ｍが実用的であるという結果が得られている。（ｂ）中の点線は、第２の部分６ｂが、ラック部６ｃのそのディスク最内周移動位置からの過剰移動により、上記距離ｇ２相当の変位をして軸受８ｂに当接したときの状態を示す。該当接状態においては、ヒンジ部６ｄは、上記第２の部分６ｂの上記変位の支点となる部分に組織劣化や損傷を起さない弾性限界内の変位状態にある。
【００１７】
図５は、本発明の作用・効果を説明するための図である。本図５では、上記図３の場合と同様、ガイドフィード部材６のラック部６ｃのディスク最外周位置からの過剰移動動作を示す。（ａ）は、光ピックアップ送り機構部のうちラック部６ｃ周辺の平面図、（ｂ）は、その側面図である。（ａ）及び（ｂ）は、上記図３の場合と同様、ガイドフィード部材６は、第１の部分６ａ、第２の部分６ｂ、ラック部６ｃを含め、ディスク最外周位置（ディスク最外周移動位置）にあるものとする。
【００１８】
図５において、第２の部分６ｂは、上記ディスク最外周移動位置において、モータブラケット８ａとの距離がｇ３（ｇ３＞ｇ１）とされている（図５（ａ））。該距離ｇ３は、該ディスク最外周移動位置でリードスクリュー部材３がさらに回転して、ラック部６ｃが該最外周移動位置からさらに過剰移動され、第２の部分６ｂが変位し、ヒンジ部６ｄが弾性限界を超える変位状態となったときも、該第２の部分６ｂの移動方向の端面部がモータブラケット８ａに当接しない距離であり、例えば約２．０×１０−３ｍ以上である。図５（ｂ）中の点線は、第２の部分６ｂが、ラック部６ｃのその最外周移動位置からの過剰移動により、ｇ４の変位をしてもまだモータブラケット８ａに当接せず、該モータブラケット８ａとの間にまだ距離ｇ５を残しているときの状態を示す。該状態においては、ヒンジ部６ｄは、上記第２の部分６ｂの上記変位の支点となる部分が弾性限界を超えた変位状態にあるため、該支点部分に組織劣化や損傷が発生することになり、ガイドフィード部材６の信頼性を低下させる。本発明では、これを改善するために、上記図３に示すように、第２の部分６ｂは、ディスク最外周移動位置において、モータブラケット８ａとの距離をｇ１（ｇ１＜ｇ４＜ｇ３）、ディスク最内周移動位置において、軸受８ｂとの距離をｇ２（ｇ２＜ｇ４＜ｇ３）とし、それぞれにおいて該第２の部分６ｂが過剰変位した場合にも、ヒンジ部６ｄが弾性限界内の変位状態にあるようにする。これによって、本発明では、ガイドフィード部材６の信頼性が確保される。
【００１９】
上記実施形態によれば、光ディスク装置において、ガイドフィード部材６がディスク最外周位置や最内周位置で停止しているときに衝撃力などによりリードスクリュー部材３が回転した場合などにも、該ガイドフィード部材６のラック部６ｃの過剰移動に基づくヒンジ部６ｄの過剰変位を防止し損傷を回避して、該ガイドフィード部材６の信頼性を確保することができる。
なお、上記実施形態では、第１の部分６ａ、第２の部分６ｂ、ラック部６ｃ及びヒンジ部６ｄが一体状に形成された構成としたが、本発明はこれに限定されない。
【図面の簡単な説明】
【００２０】
【図１】本発明の実施形態としての光ディスク装置の構成例図である。
【図２】図１の光ディスク装置に用いるガイドフィード部材の外形図である。
【図３】図２のガイドフィード部材のラック部のディスク最外周位置からの過剰移動動作の説明図である。
【図４】図２のガイドフィード部材のラック部のディスク最内周位置からの過剰移動動作の説明図である。
【図５】本発明の作用・効果を説明する図である。
【符号の説明】
【００２１】
１…光ピックアップ、
２…スピンドルモータ、
３…リードスクリュー部材、
４ａ、４ｂ…ガイド部材、
５…送りモータ、
６…ガイドフィード部材、
６ａ…ガイドフィード部材の第１の部分、
６ｂ…ガイドフィード部材の第２の部分、
６ｃ…ガイドフィード部材のラック部、
６ｄ…ガイドフィード部材のヒンジ部、
７…弾性部材、
８ａ…モータブラケット、
８ｂ…軸受、
９…シャーシ、
１１ａ…最外周位置規制部材、
１１ｂ…最内周位置規制部材。
【図１】
2005251275.tif 000003
【図２】
2005251275.tif 000004
【図３】
2005251275.tif 000005
【図４】
2005251275.tif 000006
【図５】
2005251275.tif 000007